(57)【要約】  本発明の実施例は、半２重通信システムにおけるサブフレームスケジューリング方法、装置及びシステムを提供する。該方法は、ネットワーク側がユーザ装置に上り下りリンクサブフレームの変更情報を送信し、前記上り下りリンクサブフレームの変更情報により前記ユーザ装置が前記ネットワーク側の第一上り下りリンクサブフレーム設定のうちの１つのサブフレーム又は一組のサブフレームの上り下りリンク設定を変更するように指示し；及び、前記ネットワーク側が変更後の上り下りリンク設定に従って対応するサブフレーム上で前記ユーザ装置をサービングすることを含む。本発明の実施例の方法により、システム容量を向上させることができる。
2017529015.tif 000002
【特許請求の範囲】
【請求項１】
ネットワーク側に応用される半２重通信システムにおけるサブフレームスケジューリング装置であって、
ユーザ装置に上り下りリンクサブフレームの変更情報を送信し、前記上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示するための送信ユニット；及び
変更後の上り下りリンク設定に基づいて、対応するサブフレームにおいて、前記ユーザ装置をサービングするためのサービングユニットを含む、装置。
【請求項２】
請求項1に記載の装置であって、
前記上り下りリンクサブフレームの変更情報は、上り下りリンク設定が変更されるサブフレームの位置情報を含む、装置。
【請求項３】
請求項1に記載の装置であって、
前記位置情報は、サブフレーム順番号により指示され；又は
前記位置情報は、ビットマップにより指示される、装置。
【請求項４】
請求項1に記載の装置であって、
上り下りリンク設定が変更されるサブフレームと、前記上り下りリンクサブフレームの変更情報を受信するサブフレームとの間には、固定した時間シーケンス関係がある、装置。
【請求項５】
請求項1に記載の装置であって、
前記上り下りリンクサブフレームの変更情報は、上り下りリンク設定が変更されるサブフレームに関連するスケジューリング情報を含む、装置。
【請求項６】
ネットワーク側に応用される半２重通信システムにおけるサブフレームスケジューリング装置であって、
ユーザ装置に上り下りリンク可変サブフレームの指示情報を送信し、前記上り下りリンク可変サブフレームの指示情報により、前記ネットワーク側の第一上り下りリンクサブフレーム設定のうちの、上り下りリンク設定が変更可能なサブフレーム又はサブフレーム組を指示するための送信ユニット；及び
変更後の上り下りリンク設定に基づいて、対応するサブフレームにおいて、前記ユーザ装置をサービングするためのサービングユニットを含む、装置。
【請求項７】
請求項6に記載の装置であって、
前記上り下りリンク可変サブフレームは、サブフレーム順番号により指示され；又は
前記上り下りリンク可変サブフレームは、ビットマップにより指示され；又は
前記上り下りリンク可変サブフレームは、前記ネットワーク側の第一上り下りリンクサブフレーム設定と異なる上り下りリンクサブフレーム設定により指示され；又は
前記上り下りリンク可変サブフレームは、予め定義される又は予め構成されるという方式で指示される、装置。
【請求項８】
請求項6に記載の装置であって、
前記送信ユニットは、さらに、前記ユーザ装置に上り下りリンクサブフレームの変更情報を送信し、上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示する、装置。
【請求項９】
請求項8に記載の装置であって、
前記上り下りリンクサブフレームの変更情報は、上り下りリンク設定が変更されるサブフレームの位置情報を含む、装置。
【請求項１０】
請求項9に記載の装置であって、
前記位置情報は、サブフレーム順番号により指示され；又は
前記位置情報は、ビットマップにより指示される、装置。
【請求項１１】
請求項8に記載の装置であって、
上り下りリンク設定が変更されるサブフレームと、前記上り下りリンクサブフレームの変更情報を受信するサブフレームとの間には、固定した時間シーケンス関係がある、装置。
【請求項１２】
請求項8に記載の装置であって、
前記上り下りリンクサブフレームの変更情報は、上り下りリンク設定が変更されるサブフレームに関連するスケジューリング情報を含む、装置。
【請求項１３】
ユーザ装置側に応用される半２重通信システムにおけるデータ送受信装置であって、
受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定するための確定ユニット；及び
上り下りリンク設定が変更されているサブフレーム又はサブフレーム組に基づいて、データを送受信するための処理ユニットを含む、装置。
【請求項１４】
請求項13に記載の装置であって、
前記ユーザ装置が、前記上り下りリンクサブフレームの変更情報を受信しており、且つ該上り下りリンクサブフレームの変更情報が、上り下りリンク設定が変更されるサブフレームの位置情報を含んでいる場合、前記確定ユニットは、前記位置情報に基づいて、ネットワーク側の第一上り下りリンクサブフレーム設定のうちの、上り下りリンク設定が変更されるサブフレーム又はサブフレーム組を確定する、装置。
【請求項１５】
請求項13に記載の装置であって、
前記ユーザ装置が、前記上り下りリンクサブフレームの変更情報を受信しており、且つ該上り下りリンクサブフレームの変更情報が、上り下りリンク設定が変更されるサブフレームの位置情報を含まない場合、前記確定ユニットは、上り下りリンク設定が変更されるサブフレームと、前記上り下りリンクサブフレームの変更情報を受信するサブフレームとの間の固定した時間シーケンス関係に基づいて、ネットワーク側の第一上り下りリンクサブフレーム設定のうちの、上り下りリンク設定が変更されるサブフレーム又はサブフレーム組を確定する、装置。
【請求項１６】
請求項13に記載の装置であって、
前記ユーザ装置が、前記上り下りリンク可変サブフレームの指示情報を受信している場合、前記確定ユニットは、前記上り下りリンク可変サブフレームがデフォルト上り下りリンク設定であると確定する、装置。
【請求項１７】
請求項16に記載の装置であって、
前記デフォルト上り下りリンク設定は、前記ネットワーク側の第一上り下りリンクサブフレーム設定と一致しており、又は、ともに上りリンクサブフレームであり、又は、ともに下りリンクサブフレームであるということである、装置。
【請求項１８】
請求項13に記載の装置であって、
前記ユーザ装置が、前記上り下りリンクサブフレームの変更情報及び前記上り下りリンク可変サブフレームの指示情報を受信している場合、前記確定ユニットは、前記上り下りリンク可変サブフレームのうちの、前記上り下りリンクサブフレームの変更情報により指定されているサブフレームの上り下りリンク設定についての変更を確定する、装置。
【請求項１９】
請求項18に記載の装置であって、
前記上り下りリンク可変サブフレームのうちにさらに前記上り下りリンクサブフレームの変更情報により指定されていないサブフレームがあれば、前記確定ユニットは、前記指定されていないサブフレームがデフォルト上り下りリンク設定であると確定する、装置。
【請求項２０】
請求項19に記載の装置であって、
前記デフォルト上り下りリンク設定は、前記ネットワーク側の第一上り下りリンクサブフレーム設定と一致しており、又は、ともに上りリンクサブフレームであり、又は、ともに下りリンクサブフレームであるということである、装置。
【発明の詳細な説明】
【技術分野】
【０００１】
本発明は、通信分野に関し、特に、半２重通信システムにおけるサブフレームスケジューリング方法、データ送受信方法、装置及びシステムに関する。
【背景技術】
【０００２】
超密集ネットワークは、5G（第5世代移動通信技術）システムのキー技術の１つである。システム容量を向上させるために、マクロセル（macro  cell）及び／又はスモールセル（small  cell）をサービングする基地局（BS：Base  Station）又は伝送ポイント（TP：Transmission  Point）間の協調（coordination）は、既に重要な研究テーマになっている。
【０００３】
従来のメカニズムでは、各基地局又は伝送ポイントは、１つの指定されている上り下りリンクサブフレーム設定（configuration）に従ってUEと通信を行う。該上り下りリンクサブフレーム設定は、ネットワーク（例えば、基地局）によりシステム情報又は物理層シグナリングを用いて構成され、且つUE（User  Equipment；ユーザ装置；ユーザと略称される）に知られ、また、新しい上り下りリンクサブフレーム設定を受信する前に、該上り下りリンクサブフレーム設定は、変わることがない。言い換えると、同じ上り下りリンクサブフレーム設定を受信した複数のUEについて、一部のUEのみが１つの上りリンク又は下りリンクサブフレームにおいてスケジューリングされれば、スケジューリングされていない他のUEは、該サブフレーム内でサービスを得ることができず、例えば、他の基地局又は伝送ポイントによりサービングされ得ない。このように、システム容量の向上が制限されている。
【０００４】
なお、上述の背景技術の紹介は、本発明の技術案を明確且つ完全に説明し、当業者がそれを理解し得るためだけのものである。これらの案は、本発明の背景技術の一部に記述されているため、当業者に周知であると解釈されてはいけない。
【発明の概要】
【発明が解決しようとする課題】
【０００５】
従来のメカニズムでは、新しい上り下りリンクサブフレーム設定を受信する前に、UEは、現在の上り下りリンクサブフレーム設定のみに従ってスケジューリングされ得る。該方法の実現が比較的簡単であり、UEは、受信した上り下りリンクサブフレーム設定に基づいて、関連操作（例えば、HARQ：Hybrid  Automatic  Repeat  Request）の時間シーケンスを確定することができる。しかし、上り下りリンクサブフレーム設定が固定した場合、上りリンクサブフレームにより上りリンクデータのみをスケジューリングし、下りリンクサブフレームにより下りリンクデータのみをスケジューリングし得るため、システム容量の向上が制限されている。
【０００６】
本発明の実施例は、半２重通信システムにおけるサブフレームスケジューリング方法、データ送受信方法、装置及びシステムを、システム容量が向上するように提供する。
【課題を解決するための手段】
【０００７】
本発明の実施例の第一側面によれば、半２重通信システムにおけるサブフレームスケジューリング方法が提供され、そのうち、前記方法は、ネットワーク側がユーザ装置に上り下りリンクサブフレームの変更情報を送信し、前記上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示し；及び、前記ネットワーク側が、変更後の上り下りリンク設定に従って、対応するサブフレームにおいて前記ユーザ装置をサービングすることを含む。
【０００８】
本発明の実施例の第二側面によれば、半２重通信システムにおけるサブフレームスケジューリング方法が提供され、そのうち、前記方法は、ネットワーク側がユーザ装置に上り下りリンク可変サブフレームの指示情報を送信し、前記指示情報により前記ネットワーク側の第一上り下りリンクサブフレーム設定のうちの、上り下りリンク設定が変更可能なサブフレーム又はサブフレーム組を指示し；及び、前記ネットワーク側が、変更後の上り下りリンク設定に従って、対応するサブフレームにおいて前記ユーザ装置をサービングすることを含む。
【０００９】
本発明の実施例の第三側面によれば、半２重通信システムにおけるデータ送受信方法が提供され、そのうち、前記方法は、ユーザ装置が、受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定し；及び、前記ユーザ装置が、上り下りリンク設定が変更されているサブフレーム又はサブフレーム組に基づいてデータを送受信することを含む。
【００１０】
本発明の実施例の第四側面によれば、半２重通信システムにおけるサブフレームスケジューリング装置が提供され、該装置は、ネットワーク側に応用され、そのうち、前記装置は、送信ユニットであって、ユーザ装置に上り下りリンクサブフレームの変更情報を送信し、前記上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示するためのもの；及び、サービングユニットであって、変更後の上り下りリンク設定に基づいて、対応するサブフレームにおいて前記ユーザ装置をサービングするためのものを含む。
【００１１】
本発明の実施例の第五側面によれば、半２重通信システムにおけるサブフレームスケジューリング装置が提供され、該装置は、ネットワーク側に応用され、そのうち、前記装置は、送信ユニットであって、ユーザ装置に、上り下りリンク可変サブフレームの指示情報を送信し、前記指示情報により、前記ネットワーク側の第一上り下りリンクサブフレーム設定のうちの、上り下りリンク設定が変更可能なサブフレーム又はサブフレーム組を指示するためのもの；及び、サービングユニットであって、変更後の上り下りリンク設定に基づいて、対応するサブフレームにおいてユーザ装置をサービングするためものを含む。
【００１２】
本発明の実施例の第六側面によれば、半２重通信システムにおけるデータ送受信装置が提供され、該装置は、ユーザ装置側に応用され、そのうち、前記装置は、確定ユニットであって、受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定するためのもの；及び、処理ユニットであって、上り下りリンク設定が変更されているサブフレーム又はサブフレーム組に基づいてデータを送受信するものを含む。
【００１３】
本発明の実施例の第七側面によれば、伝送ポイントが提供され、そのうち、前記伝送ポイントは、前述の第四側面又は第五側面に記載の装置を含む。
【００１４】
本発明の実施例の第八側面によれば、ユーザ装置が提供され、そのうち、前記ユーザ装置は、前述の第六側面に記載の装置を含む。
【００１５】
本発明の実施例の第九側面によれば、通信システムが提供され、そのうち、前記通信システムは、前述の第七側面に記載の伝送ポイント及び前述の第八側面に記載のユーザ装置を含む。
【００１６】
本発明の実施例の他の側面によれば、コンピュータ可読プログラムが提供され、そのうち、伝送ポイント中で前記プログラムを実行する時に、前記プログラムは、コンピュータに、前記伝送ポイント中で前述の第一側面又は前述の第二側面に記載のサブフレームスケジューリング方法を実行させる。
【００１７】
本発明の実施例の他の側面によれば、コンピュータ可読プログラムを記憶した記憶媒体が提供され、そのうち、前記コンピュータ可読プログラムは、コンピュータに、伝送ポイント中で前述の第一側面又は前述の第二側面に記載のサブフレームスケジューリング方法を実行させる。
【００１８】
本発明の実施例の他の側面によれば、コンピュータ可読プログラムが提供され、そのうち、ユーザ装置中で前記プログラムを実行する時に、前記プログラムは、コンピュータに、前記ユーザ装置中で前述の第三側面に記載のデータ送受信方法を実行させる。
【００１９】
本発明の実施例の他の側面によれば、コンピュータ可読プログラムを記憶した記憶媒体が提供され、そのうち、前記コンピュータ可読プログラムは、コンピュータに、ユーザ装置中で前述の第三側面に記載のデータ送受信方法を実行させる。
【００２０】
本発明の実施例の有益な効果は、本発明の実施例により、半２重通信システムにおけるシステム容量を向上させることができるということにある。
【００２１】
後述の説明及び図面に基づき、本発明の特定の実施形態を詳細に開示し、本発明の原理が採用され得る方式を明確にする。なお、本発明の実施形態は、範囲上でそれによって限定されない。添付した特許請求の範囲の精神及び技術的範囲では、本発明の実施形態は、あらゆる変形、変更に及び代替によるものをも含む。
【００２２】
１つの実施形態について説明した及び／又は示した特徴は、同じ又は類似した方式で、１つ又は複数の他の実施形態に使用し、他の実施形態における特徴と組み合わせ、又は、他の実施形態における特徴を置換することができる。
【００２３】
なお、「包括／含む」のような用語は、本文に使用する時に、特徴、装置全体、ステップ又はアセンブリの存在を指すが、１つ又は複数の他の特徴、装置全体、ステップ又はアセンブリの存在又は付加を排除しないことをも指す。
【図面の簡単な説明】
【００２４】
含まれている図面は、本発明の実施例への更なる理解を提供するために用いられ、これらの図面は、本明細書の一部を構成しており、本発明の実施形態を例示し、文字記載とともに本発明の原理を説明するために用いられる。また、明らかのように、以下に記載されている図面は、本発明の幾つかの実施例を示すためのものに過ぎず、当業者は、創造性のある労働をせずに、これらの図面に基づいて他の図面を得ることもできる。
【図１】本実施例中の応用シナリオを示す図である。
【図２】本実施例中の応用シナリオを示す図である。
【図３】本実施例中の応用シナリオを示す図である。
【図４】本発明の実施例1中のサブフレームスケジューリング方法のフローチャートである。
【図５】サブフレームの上り下りリンク設定を変更する１つの例を示す図である。
【図６】本実施例のもう１つの応用シナリオを示す図である。
【図７】本発明の実施例2中のサブフレームスケジューリング方法のフローチャートである。
【図８】本発明の実施例3中のデータ送受信方法のフローチャートである。
【図９】本発明の実施例4中のサブフレームスケジューリング装置の構成図である。
【図１０】本発明の実施例5中のサブフレームスケジューリング装置の構成図である。
【図１１】本発明の実施例6中のデータ送受信装置の構成図である。
【図１２】本発明の実施例7中の伝送ポイントのハードウェア構成図である。
【図１３】本発明の実施例8中のユーザ装置のハードウェア構成図である。
【図１４】本発明の実施例9中の通信システムの基本構成図である。
【発明を実施するための形態】
【００２５】
添付した図面及び本明細書により、本発明の実施例の前述及び他の特徴は、より明確になる。なお、明細書及び図面では、本発明の特定の実施形態が具体的に開示されているが、それらは、本発明の原理を採用し得る一部のみの実施形態である。また、理解すべきは、本発明は、記載されている実施形態に限定されず、添付した特許請求の範囲に属する全ての変更、変形及び代替によるものも含む。
【００２６】
本発明の実施例の応用シナリオは、半２重通信システムであり、即ち、任意時刻に、各伝送ポイントが１つのキャリア上で上りリンク又は下りリンクのみにおいてワーキングすることができる。考慮するシナリオは、１つの物理領域が複数の伝送ポイントによりカバーされ、各伝送ポイントが１つ又は複数のアンテナを有するものである。図1に示すように、各伝送ポイントは、１つの基地局であっても良く、且つあるキャリア上でワーキングする物理セルを形成する。或いは、図2及び図3に示すように、複数の伝送ポイントは、同時に、１つのBBU  pool（Base  band  Unit  pool）に接続され、あるキャリア上でワーキングする１つの物理セル（図2）又は複数の物理セル（図3）を形成する。
【００２７】
上述のシナリオでは、各伝送ポイントは、同じ又は異なる上り下りリンクサブフレーム設定に従ってワーキングすることができる。各ユーザは、ある伝送ポイントの上り下りリンクサブフレーム設定が構成されている。この設定は、１つの周期的な上り下りリンクサブフレーム構成を定義し、LTE（Long  Term  Evolution）システムでは、この周期は、10個のサブフレーム、即ち、10msであり、且つこの設定は、一定時間内で、例えば、500ms内で、変わることが無い。LTEシステムでは、この上り下りリンクサブフレーム設定は、システムメッセージ又は下りリンク制御情報（DCI：Downlink  Control  Information）中で指定されているTDD（Time  Division  Duplexing）構成である。便宜のため、実施例では、この設定を第一上り下りリンクサブフレーム設定と称する。
【実施例１】
【００２８】
本発明の実施例は、半２重通信システムにおけるサブフレームスケジューリング方法を提供する。図4は、該方法のフローチャートである。図4に示すように、該方法は、次のようなステップを含む。
【００２９】
ステップ401：ネットワーク側がユーザ装置に上り下りリンクサブフレームの変更情報を送信し、前記上り下りリンクサブフレームの変更情報により、前記ユーザ装置が前記ネットワーク側の第一上り下りリンクサブフレーム設定のうちの１つのサブフレーム又は一組のサブフレームの上り下りリンク設定を変更するように指示し；
ステップ402：前記ネットワーク側は、変更後の上り下りリンク設定に従って、対応するサブフレームにおいて前記ユーザ装置をサービングする。
【００３０】
ステップ401では、ネットワーク側がその第一上り下りリンクサブフレーム設定を変更する前（即ち、ユーザ装置が新しい第一上り下りリンクサブフレーム設定を受信する前）に、１つの上り下りリンクサブフレーム又は一組の上り下りリンクサブフレームについて、ネットワーク側は、該サブフレーム又は該一組のサブフレームの開始前に、ユーザ装置に１つの上り下りリンクサブフレームの変更情報を送信し、これにより、該ユーザ装置が該ネットワーク側の第一上り下りリンクサブフレーム設定のうちの該サブフレーム又は該一組のサブフレームの上り下りリンク設定を変更するように指示し、例えば、該サブフレーム又は該一組のサブフレームが上りリンクサブフレームであれば、それを下りリンクサブフレームに変更し、即ち、該サブフレーム又は該一組のサブフレーム上でデータを受信し；逆に、該サブフレーム又は該一組のサブフレームが下りリンクサブフレームであれば、それを上りリンクサブフレームに変更し、即ち、在該サブフレーム又は該一組のサブフレーム上でデータを送信する。
【００３１】
そのうち、該上り下りリンクサブフレームの変更情報は、物理制御チャネル、例えば、PDCCH（Physical  Downlink  Control  Channel、物理下りリンク制御チャネル）により送信されても良く、他のメッセージ、例えば、MAC（Media  Access  Control）層制御エレメント（control  element）などにより送信されても良い。
【００３２】
そのうち、該ネットワーク側の実体（entity）は、基地局（BS：Base  Station）であっても良く、制御機能を有する他の伝送ポイント（TP：Transmission  Point）であっても良いが、本実施例では、これについて限定しない。
【００３３】
本実施例の１つの実施方式では、該上り下りリンクサブフレームの変更情報は、上り下りリンク設定が変更されるサブフレームの位置情報を含んでも良い。これにより、ユーザ装置は、該ネットワーク側の第一上り下りリンクサブフレーム設定のうちの、上り下りリンク設定が変更されるサブフレーム又はサブフレーム組を確定し、そして、変更後の上り下りリンク設定に基づいて、該サブフレーム又はサブフレーム組上でデータを受信又は送信することができる。
【００３４】
そのうち、サブフレームが順番号で表されることを考慮すると、該位置情報は、サブフレーム順番号により指示されても良く、例えば、該上り下りリンクサブフレームの変更情報に含まれる順番号が5であれば、第5個目のサブフレームの上り下りリンク設定についての変更を示し、又は、該上り下りリンクサブフレームの変更情報に含まれるのが１つの順番号の範囲（例えば、3〜6）又は一組の順番号（例えば、3、4、5、6）であれば、第3、4、5、6個目のサブフレームの上り下りリンク設定についての変更を示す。
【００３５】
そのうち、該位置情報は、ビットマップ（bitmap）の形式により指示されても良く、例えば、該上り下りリンクサブフレームの変更情報にbitmap“0100100110”が含まれる場合、第2、第5、第8及び第9個目のサブフレームの上り下りリンク設定についての変更を示す。
【００３６】
本実施例のもう１つの実施方式では、該上り下りリンクサブフレームの変更情報が上述の位置情報を含まない場合、上り下りリンク設定が変更されるサブフレームと、前記上り下りリンクサブフレームの変更情報を受信するサブフレームとの間には固定した時間シーケンス関係を有することが示す。これにより、ユーザ装置は、該固定した時間シーケンス関係に基づいて、該ネットワーク側の第一上り下りリンクサブフレーム設定のうちの、上り下りリンク設定が変更されるサブフレーム又はサブフレーム組を確定し、そして、変更後の上り下りリンク設定に基づいて、該サブフレーム又はサブフレーム組上でデータを受信又は送信することができる。
【００３７】
そのうち、例えば、UEが第n個目のサブフレームにおいて上り下りリンクサブフレームの変更情報を受信した場合、第n+m個目のサブフレーム又は第n+m個目のサブフレームから第n+m+k個目のサブフレームまでの上り下りリンク設定についての変更を示す。この固定した時間シーケンス関係、即ち、該m及び該kの値は、予め定義又は構成されても良い。そのうち、予め定義されることとは、規格で予め定義されることを指し、ネットワーク側及びユーザ装置にとって既知であり、また、予め構成されることとは、ネットワーク側が予め構成しユーザ装置に通知することを指す。
【００３８】
本実施例の１つの実施方式では、オプションとして、該上り下りリンクサブフレームの変更情報は、さらに、上り下りリンク設定が変更されるサブフレームに関連するスケジューリング情報、例えば、ユーザ装置に割り当てられているリソースの位置、変調符号化方式、パワー制御パラメータなどを含んでも良い。これにより、ユーザ装置は、直接、該スケジューリング情報に基づいて、該上り下りリンク設定が変更されているサブフレーム上でデータを受信し又はデータを送信することができる。
【００３９】
図5は、ネットワーク側の第一上り下りリンクサブフレーム設定のうちのサブフレームの上り下りリンク設定を変更する１つの例を示す図である。図5に示すように、（a）は、ネットワーク側の第一上り下りリンクサブフレーム設定を示す図であり；（b）は、第8個目のサブフレームの上り下りリンク方向を上りリンクから下りリンクに変更することを示す図であり、即ち、該例では、第8個目のサブフレームは、上りリンクサブフレームから下りリンクサブフレームに変更され；（c）は、第9個目のサブフレームの上り下りリンク方向を下りリンクから上りリンクに変更することを示す図であり、即ち、該例では、第9個目のサブフレームは、下りリンクサブフレームから上りリンクサブフレームに変更される。
【００４０】
ステップ402では、ネットワーク側は、もう１つの伝送ポイントを選択し、変更後の上り下りリンク設定に従って、対応するサブフレームにおいて、該ユーザ装置をサービングするようにさせても良く、また、自分は、変更後の上り下りリンク設定に従って、対応するサブフレームにおいて、該ユーザ装置をサービングしても良い。以下、例を挙げて説明を行う。
【００４１】
図6は、本実施例のもう１つの応用シナリオを示す図である。図6に示すように、２つのユーザ（UE1及びUE2）がともにTP1及びTP2のカバレッジ内にある。TP2は、図6に示す上り下りリンクサブフレーム設定に従ってワーキングする。UE2が１つの上り下りリンクサブフレームの変更情報を受信し、かつ該情報が第8個目のサブフレームを上りリンクから下りリンクに変更するように指示するとすれば、本実施例の方法により、ネットワーク側（TP2）は、次のような２つの処理方式を有する。
【００４２】
方式一：ネットワーク側（TP2）は、第8個目のサブフレームにおいて、TP1を、UE2の下りリンクについてサービングするために選択し、その同時に、TP2は、第8個目のサブフレームにおいて、UE1の上りリンクについてサービングする。これにより、TP2のカバレッジ内に、同一のサブフレームにおいて、２つの異なるユーザがそれぞれ上り及び下りリンクの２種類の異なる方式で同時にワーキングする場合があり、この小さい範囲内での１つの全２重通信を実現し、システム容量を向上させることができる。
【００４３】
方式二：ネットワーク側（TP2）は、第8個目のサブフレームにおいて、UE2の下りリンクについてサービングし、その上り下りリンクサブフレーム設定の中で指定されている上りリンクではない。これにより、TP2は、第8個目のサブフレームにおいてUE2の下りリンクについてスケジューリングし、システム容量を向上させることができる。
【実施例２】
【００４４】
本発明の実施例は、さらに、半２重通信システムにおけるサブフレームスケジューリング方法を提供する。図7は、該方法のフローチャートである。図7に示すように、該方法は、次のようなステップを含む。
【００４５】
ステップ701：ネットワーク側が、ユーザ装置に、上り下りリンク可変サブフレームの指示情報を送信し、前記指示情報により、前記ネットワーク側の第一上り下りリンクサブフレーム設定のうちの、上り下りリンク設定が変更可能なサブフレーム又はサブフレーム組を指示し；
ステップ702：前記ネットワーク側が、変更後の上り下りリンク設定に従って、対応するサブフレームにおいて、前記ユーザ装置をサービングする。
【００４６】
ステップ701では、ネットワーク側は、ユーザ装置に、上り下りリンク可変サブフレームを指示する情報を送信することで、第一上り下りリンクサブフレーム設定のうちのどのサブフレーム又はどの組のサブフレームの上り下りリンク設定を変更することができるかを指示し、このようなサブフレームは、上り下りリンク可変サブフレームと称する。
【００４７】
そのうち、該指示情報は、システムメッセージ、RRC（Radio  Resource  Control、無線リソース制御）メッセージ、MAC層制御エレメント、又は物理層シグナリング（例えば、下りリンク制御情報）などにより送信されても良い。
【００４８】
本実施例では、該指示情報は、次のような方式で、上り下りリンク可変サブフレームの位置を指示しても良いが、本実施例では、これについて限定せず、例えば、上り下りリンク可変サブフレームの順番号により指示されても良く；又は、上り下りリンク可変サブフレームの位置を示すビットマップ（bitmap）により指示されても良く、例えば、１つのbitmap“0100100110”により、第2、第5、第8及び第9個目のサブフレームの上り下りリンク設定を変更するように指示しても良く；又は、第一上り下りリンクサブフレーム設定と異なる上り下りリンクサブフレーム設定を構成することにより指示されても良く、即ち、前記ネットワーク側の第一上り下りリンクサブフレーム設定と異なる上り下りリンクサブフレーム設定により指示されても良く、このようにして、ユーザ装置は、この違いに基づいて、この２種類の設定の中に異なる上り下りリンク設定があるサブフレームが、上り下りリンク可変サブフレームであると判断しても良く；又は、予め定義される又は予め構成されるという方式で指示されても良く、即ち、第一上り下りリンクサブフレーム設定のうちの、予め定義されている又は予め構成されているサブフレームを、上り下りリンク可変サブフレームとして指示しても良い。そのうち、predefine及びpreconfigureの方式は、実施例1に類似したので、ここでは、その詳しい説明を省略する。
【００４９】
本実施例では、該ネットワーク側の実体は、基地局（BS：Base  Station）であっても良く、制御機能を有する他の伝送ポイント（TP：Transmission  Point）であっても良いが、本実施例では、これについて限定しない。
【００５０】
本実施例の１つの実施方式では、上述の指示情報により上り下りリンク可変サブフレームを指示する他に、該ネットワーク側は、さらに、ユーザ装置に、上り下りリンクサブフレームの変更情報を送信し、該上り下りリンクサブフレームの変更情報により、該ユーザ装置が該ネットワーク側の第一上り下りリンクサブフレーム設定のうちの１つのサブフレーム又は一組のサブフレームの上り下りリンク設定を変更するように指示しても良い。
【００５１】
そのうち、該上り下りリンクサブフレームの変更情報は、実施例1と同じであるため、その内容は、ここに合併され、ここでは、その詳しい説明を省略する。
【００５２】
本実施例の方法により、ユーザ装置は、該指示情報を受信した後に、上り下りリンク設定が変更可能なサブフレーム又はサブフレーム組（上り下りリンク可変サブフレーム）を確定することができ、上述の上り下りリンクサブフレームの変更情報をさらに受信した場合、該上り下りリンクサブフレームの変更情報に基づいて、どのサブフレーム（１つ又は複数）の上り下りリンク設定を変更するかをさらに確定することができ；また、上述の上り下りリンクサブフレームの変更情報を受信しない場合、所定のポリシーに基づいて、該上り下りリンク可変サブフレームの上り下りリンク設定を変更するか及び如何に変更するかを決定することができ、具体的には、後述する。これにより、前述のように、同じTP又は異なるTPにより、同一のサブフレームにおいて、異なるユーザの上り下りリンク伝送をスケジューリングすることができ、システム容量を向上させることができる。
【実施例３】
【００５３】
本実施例は、さらに、半２重通信システムにおけるデータ送受信方法が提供され、該方法は、実施例1及び実施例2の方法に対応するユーザ装置側の処理である。図8は、該方法のフローチャートである。図8に示すように、該方法は、次のようなステップを含む。
【００５４】
ステップ801：ユーザ装置が、受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定し；
ステップ802：前記ユーザ装置が、上り下りリンク設定が変更されているサブフレーム又はサブフレーム組に基づいてデータを送受信する。
【００５５】
本実施例では、前述のように、ネットワーク側は、上り下りリンクサブフレームの変更情報及び／又は上り下りリンク可変サブフレームの指示情報を送信する可能性があり、そのため、ステップ801では、ユーザ装置は、受信した情報に基づいて、上り下りリンク設定を変更する必要のあるサブフレーム又はサブフレーム組を確定することができる。そのうち、上り下りリンクサブフレームの変更情報及び上り下りリンク可変サブフレームの指示情報は、既にそれぞれ実施例1及び実施例2において詳細に説明されているため、その内容は、ここに合併され、ここでは、その詳しい説明を省略する。
【００５６】
本実施例の１つの実施方式では、該ユーザ装置が上述の上り下りリンクサブフレームの変更情報を受信しており、且つ該上り下りリンクサブフレームの変更情報には上り下りリンク設定が変更されるサブフレームの位置情報が含まれている場合、該ユーザ装置は、該位置情報に基づいて、ネットワーク側の第一上り下りリンクサブフレーム設定のうちの、上り下りリンク設定が変更されるサブフレーム又はサブフレーム組を確定することができる。
【００５７】
本実施例のもう１つの実施方式では、該ユーザ装置が上述の上り下りリンクサブフレームの変更情報を受信しており、且つ該上り下りリンクサブフレームの変更情報には上り下りリンク設定が変更されるサブフレームの位置情報が含まれない場合、前述のように、これは、上り下りリンク設定が変更されるサブフレームと、該上り下りリンクサブフレームの変更情報を受信するサブフレームとの間に固定した時間シーケンス関係があることを意味し、この場合、該ユーザ装置は、該固定した時間シーケンス関係に基づいて、ネットワーク側の第一上り下りリンクサブフレーム設定のうちの、上り下りリンク設定が変更されるサブフレーム又はサブフレーム組を確定することができる。
【００５８】
本実施例のもう１つの実施方式では、該ユーザ装置が上述の上り下りリンク可変サブフレームの指示情報を受信しているが、上述の上り下りリンクサブフレームの変更情報を受信しない場合、該ユーザ装置は、該上り下りリンク可変サブフレームがデフォルト上り下りリンク設定であると確定することができる。例えば、前記ネットワーク側の第一上り下りリンクサブフレーム設定と一致しており、即ち、不変に保たれており；又は、ともに上りリンクサブフレームであり；又は、ともに下りリンクサブフレームである。
【００５９】
本実施例のもう１つの実施方式では、該ユーザ装置が上述の上り下りリンクサブフレームの変更情報及び上述の上り下りリンク可変サブフレームの指示情報を受信している場合、該ユーザ装置は、該上り下りリンク可変サブフレームのうちの、該上り下りリンクサブフレームの変更情報により指定されているサブフレームの上り下りリンク設定についての変更を確定することができる。そのうち、該上り下りリンク可変サブフレームのうちに、さらに、該上り下りリンクサブフレームの変更情報により指定されていないサブフレームがあれば、該ユーザ装置は、この指定されていないサブフレームがデフォルト上り下りリンク設定であると確定することができる。例えば、前記ネットワーク側の第一上り下りリンクサブフレーム設定と一致しており；又は、ともに上りリンクサブフレームであり；又は、ともに下りリンクサブフレームである。
【００６０】
図5に示す上り下りリンクサブフレーム設定（a）を例とし、上り下りリンク可変サブフレームの指示情報により指示されている上り下りリンク可変サブフレームが第8〜10個目のサブフレーム（即ち、該上り下りリンクサブフレーム設定（a）のうち、第8〜10個目のサブフレームの上り下りリンク設定を変更することができる）であるが、上り下りリンクサブフレームの変更情報により指示されている、上り下りリンク設定が変更されるサブフレームが第8個目のサブフレームである場合、該上り下りリンクサブフレーム設定（a）のうち、第8個目のサブフレームは、上りリンクから下りリンクに変更され、残りの第9、10個目のサブフレームは、その元の構成を保つことができ、即ち、ともに下りリンクサブフレームであり、また、ともに上りリンクサブフレームであっても良く、ともに下りリンクサブフレームであっても良い。
【００６１】
本実施例の方法により、ネットワーク側から送信された情報に基づいて、サブフレームの上り下りリンク設定を変更することで、前述のように、システム容量を向上させることができる。
【実施例４】
【００６２】
本発明の実施例は、半２重通信システムにおけるサブフレームスケジューリング装置を提供し、該装置は、ネットワーク側の実体、例えば、基地局、又は、制御機能を有する他の伝送ポイントなどに応用することができる。該装置が問題を解決する原理は、実施例1の方法に類似したので、その具体的な実施は、実施例1の方法の実施を参照することができ、内容が同じ記載は、省略される。
【００６３】
図9は、該装置の構成図である。図9に示すように、該装置900は、次のようなものを含む。
【００６４】
送信ユニット901：ユーザ装置に上り下りリンクサブフレームの変更情報を送信し、前記上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示し；
サービングユニット902：変更後の上り下りリンク設定に従って、対応するサブフレームにおいて、前記ユーザ装置をサービングする。
【００６５】
１つの実施方式では、前記上り下りリンクサブフレームの変更情報は、上り下りリンク設定が変更されるサブフレームの位置情報を含む。そのうち、前記位置情報は、サブフレーム順番号により指示されても良く、ビットマップにより指示されても良い。
【００６６】
もう１つの実施方式では、上り下りリンク設定が変更されるサブフレームと、前記上り下りリンクサブフレームの変更情報を受信するサブフレームとの間には、固定した時間シーケンス関係を有する。
【００６７】
オプションとして、前記上り下りリンクサブフレームの変更情報は、さらに、上り下りリンク設定が変更されるサブフレームに関連するスケジューリング情報を含んでも良い。
【００６８】
本実施例の装置により、前述のように、システム容量を向上させることができる。
【実施例５】
【００６９】
本発明の実施例は、半２重通信システムにおけるサブフレームスケジューリング装置を提供し、該装置は、ネットワーク側の実体、例えば、基地局、又は、制御機能を有する他の伝送ポイントなどに応用することができる。該装置が問題を解決する原理は、実施例2の方法に類似したので、その具体的な実施は、実施例2の方法の実施を参照することができ、内容が同じ記載は、省略される。
【００７０】
図10は、該装置の構成図である。図10に示すように、該装置1000は、次のようなものを含む。
【００７１】
送信ユニット1001：ユーザ装置に上り下りリンク可変サブフレームの指示情報を送信し、前記指示情報により、前記ネットワーク側の第一上り下りリンクサブフレーム設定のうちの、上り下りリンク設定が変更可能なサブフレーム又はサブフレーム組を指示し；
サービングユニット1002：変更後の上り下りリンク設定に従って、対応するサブフレームにおいて前記ユーザ装置をサービングする。
【００７２】
本実施例では、該上り下りリンク可変サブフレームは、サブフレーム順番号により指示されても良く；又は、該上り下りリンク可変サブフレームは、ビットマップにより指示されても良く；又は、該上り下りリンク可変サブフレームは、前記ネットワーク側の第一上り下りリンクサブフレーム設定と異なる上り下りリンクサブフレーム設定により指示されても良く；又は、該上り下りリンク可変サブフレームは、predefine又はpreconfigureの方式で指示されても良い。
【００７３】
本実施例では、該送信ユニット1001は、さらに、前記ユーザ装置に上り下りリンクサブフレームの変更情報を送信し、前記上り下りリンクサブフレームの変更情報により、前記ユーザ装置が前記ネットワーク側の第一上り下りリンクサブフレーム設定のうちの１つのサブフレーム又は一組のサブフレームの上り下りリンク設定を変更するように指示することができる。
【００７４】
１つの実施方式では、前記上り下りリンクサブフレームの変更情報は、上り下りリンク設定が変更されるサブフレームの位置情報を含む。そのうち、前記位置情報は、サブフレーム順番号により指示されても良く、ビットマップにより指示されても良い。
【００７５】
もう１つの実施方式では、上り下りリンク設定が変更されるサブフレームと、前記上り下りリンクサブフレームの変更情報を受信するサブフレームとの間には、固定した時間シーケンス関係を有する。
【００７６】
オプションとして、前記上り下りリンクサブフレームの変更情報は、さらに、上り下りリンク設定が変更されるサブフレームに関連するスケジューリング情報を含んでも良い。
【００７７】
本実施例の装置により、前述のように、システム容量を向上させることができる。
【実施例６】
【００７８】
本発明の実施例は、半２重通信システムにおけるデータ送受信装置を提供し、該装置は、ユーザ装置側に応用されても良い。該装置が問題を解決する原理は、実施例3の方法に類似したので、その具体的な実施は、実施例3の方法の実施を参照することができ、内容が同じ記載は、省略される。
【００７９】
図11は、該装置の構成図である。図11に示すように、該装置1100は、次のようなものを含む。
【００８０】
確定ユニット1101：受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定し；
処理ユニット1102：上り下りリンク設定が変更されているサブフレーム又はサブフレーム組に基づいてデータの送受信を行う。
【００８１】
１つの実施方式では、前記ユーザ装置が、前記上り下りリンクサブフレームの変更情報を受信しており、且つ該上り下りリンクサブフレームの変更情報が、上り下りリンク設定が変更されるサブフレームの位置情報を含む場合、前記確定ユニット1101は、前記位置情報に基づいて、ネットワーク側の第一上り下りリンクサブフレーム設定のうちの、上り下りリンク設定が変更されるサブフレーム又はサブフレーム組を確定する。
【００８２】
もう１つの実施方式では、前記ユーザ装置が、前記上り下りリンクサブフレームの変更情報を受信しており、且つ該上り下りリンクサブフレームの変更情報が、上り下りリンク設定が変更されるサブフレームの位置情報を含まない場合、前記確定ユニット1101は、上り下りリンク設定が変更されるサブフレームと、前記上り下りリンクサブフレームの変更情報を受信するサブフレームとの間の固定した時間シーケンス関係に基づいて、ネットワーク側の第一上り下りリンクサブフレーム設定のうちの、上り下りリンク設定が変更されるサブフレーム又はサブフレーム組を確定する。
【００８３】
もう１つの実施方式では、前記ユーザ装置が、前記上り下りリンク可変サブフレームの指示情報を受信している場合、前記確定ユニット1101は、前記上り下りリンク可変サブフレームがデフォルト上り下りリンク設定であると確定する。そのうち、前記デフォルト上り下りリンク設定は、前記ネットワーク側の第一上り下りリンクサブフレーム設定と一致しており、又は、ともに上りリンクサブフレームであり、又は、ともに下りリンクサブフレームであることである。
【００８４】
もう１つの実施方式では、前記ユーザ装置が、前記上り下りリンクサブフレームの変更情報及び前記上り下りリンク可変サブフレームの指示情報を受信している場合、前記確定ユニット1101は、前記上り下りリンク可変サブフレームのうちの、前記上り下りリンクサブフレームの変更情報により指定されているサブフレームの上り下りリンク設定についての変更を確定する。そのうち、前記上り下りリンク可変サブフレームのうちに、さらに、前記上り下りリンクサブフレームの変更情報により指定されていないサブフレームがあれば、前記確定ユニット1101は、前記指定されていないサブフレームがデフォルト上り下りリンク設定であると確定する。そのうち、前記デフォルト上り下りリンク設定は、前記ネットワーク側の第一上り下りリンクサブフレーム設定と一致しており、又は、ともに上りリンクサブフレームであり、又は、ともに下りリンクサブフレームであることである。
【００８５】
本実施例の装置により、前述のように、システム容量を向上させることができる。
【実施例７】
【００８６】
本発明の実施例は、伝送ポイントを提供し、該伝送ポイントは、実施例4又は実施例5に記載のサブフレームスケジューリング装置を含む。
【００８７】
図12は、本発明の実施例の伝送ポイントの構成図である。図12に示すように、伝送ポイント1200は、中央処理装置（CPU）1201及び記憶器1202を含んでも良く、記憶器1202は、中央処理装置1201に接続される。そのうち、該記憶器1202は、各種のデータを記憶することができ、また、さらに情報処理用プログラムを記憶することもでき、且つ中央処理装置1201の制御下で該プログラムを実行することにより、該ユーザ装置が送信した各種の情報を受信し、且つユーザ装置に各種の情報を送信することができる。
【００８８】
１つの実施方式では、実施例4に記載のサブフレームスケジューリング装置の機能は、中央処理装置1201に統合することができる。そのうち、中央処理装置1201は、次のように構成されても良く、即ち、ユーザ装置に上り下りリンクサブフレームの変更情報を送信し、前記上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示し；変更後の上り下りリンク設定に基づいて、対応するサブフレームにおいて前記ユーザ装置をサービングする。
【００８９】
オプションとして、前記上り下りリンクサブフレームの変更情報は、上り下りリンク設定が変更されるサブフレームの位置情報を含む。そのうち、前記位置情報は、サブフレーム順番号により指示されても良く、又は、前記位置情報は、ビットマップにより指示されても良い。
【００９０】
オプションとして、上り下りリンク設定が変更されるサブフレームと、前記上り下りリンクサブフレームの変更情報を受信するサブフレームとの間には、固定した時間シーケンス関係を有する。
【００９１】
オプションとして、前記上り下りリンクサブフレームの変更情報は、上り下りリンク設定が変更されるサブフレームに関連するスケジューリング情報を含む。
【００９２】
１つの実施方式では、実施例5に記載のサブフレームスケジューリング装置の機能は、中央処理装置1201に統合することができる。そのうち、中央処理装置1201は、次のように構成されても良く、即ち、ユーザ装置に上り下りリンク可変サブフレームの指示情報を送信し、前記指示情報により、前記ネットワーク側の第一上り下りリンクサブフレーム設定のうちの、上り下りリンク設定が変更可能なサブフレーム又はサブフレーム組を指示し；変更後の上り下りリンク設定に基づいて、対応するサブフレームにおいて、記ユーザ装置をサービングする。
【００９３】
オプションとして、前記上り下りリンク可変サブフレームは、サブフレーム順番号により指示されても良く、又は、前記上り下りリンク可変サブフレームは、ビットマップにより指示されても良く、又は、前記上り下りリンク可変サブフレームは、前記ネットワーク側の第一上り下りリンクサブフレーム設定と異なる上り下りリンクサブフレーム設定により指示されても良く、又は、前記上り下りリンク可変サブフレームは、予め定義される又は予め構成されるという方式で指示されても良い。
【００９４】
オプションとして、中央処理装置1201は、さらに、次のように構成されても良く、即ち、前記ユーザ装置に上り下りリンクサブフレームの変更情報を送信し、前記上り下りリンクサブフレームの変更情報により、前記ユーザ装置が前記ネットワーク側の第一上り下りリンクサブフレーム設定のうちの１つのサブフレーム又は一組のサブフレームの上り下りリンク設定を変更するように指示する。
【００９５】
オプションとして、前記上り下りリンクサブフレームの変更情報は、上り下りリンク設定が変更されるサブフレームの位置情報を含む。そのうち、前記位置情報は、サブフレーム順番号により指示されても良く、又は、前記位置情報は、ビットマップにより指示されても良い。
【００９６】
オプションとして、上り下りリンク設定が変更されるサブフレームと、前記上り下りリンクサブフレームの変更情報を受信するサブフレームとの間には、固定した時間シーケンス関係を有する。
【００９７】
オプションとして、前記上り下りリンクサブフレームの変更情報は、上り下りリンク設定が変更されるサブフレームに関連するスケジューリング情報を含む。
【００９８】
もう１つの実施方式では、実施例4又は実施例5に記載のサブフレームスケジューリング装置は、中央処理装置1201と独立して構成されても良く、例えば、サブフレームスケジューリング装置を、中央処理装置1201に接続されるチップとして構成し、中央処理装置1201の制御により、サブフレームスケジューリング装置の機能を実現しても良い。
【００９９】
また、図12に示すように、伝送ポイント1200は、さらに、送受信機1203及びアンテナ1204などを含んでも良く、そのうち、これらの部件の機能は、従来技術に類似したので、ここでは、その詳しい説明を省略する。なお、伝送ポイント1200は、必ずしも図12中のすべての部件を含む必要がない。また、伝送ポイント1200は、さらに図12に示されていない部件を含んでも良く、これについては、従来技術を参照することができる。
【０１００】
本実施例では、該伝送ポイントは、基地局であっても良い。
【０１０１】
本実施例の伝送ポイントにより、前述のように、システム容量を向上させることができる。
【実施例８】
【０１０２】
本発明の実施例は、ユーザ装置を提供し、該ユーザ装置は、実施例6に記載のデータ送受信装置を含む。
【０１０３】
図13は、本発明の実施例のユーザ装置1300のシステム構成図である。図13に示すように、該ユーザ装置1300は、中央処理装置131及び記憶器132を含んでも良く、記憶器132は、中央処理装置131に接続される。なお、該図は、例示に過ぎず、さらに他の類型の構造を用いて該構造に対して補充又は代替を行うことで、電気通信機能又は他の機能を実現しても良い。
【０１０４】
１つの実施方式では、データ送受信装置の機能は、中央処理装置131に統合することができる。そのうち、中央処理装置131は、次のように構成されても良く、即ち、受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定し；上り下りリンク設定が変更されているサブフレーム又はサブフレーム組に基づいてデータの送受信を行う。
【０１０５】
オプションとして、前記ユーザ装置が前記上り下りリンクサブフレームの変更情報を受信しており、且つ該上り下りリンクサブフレームの変更情報が、上り下りリンク設定が変更されるサブフレームの位置情報を含む場合、前記中央処理装置131は、次のように構成されても良く、即ち、前記位置情報に基づいて、ネットワーク側の第一上り下りリンクサブフレーム設定のうちの、上り下りリンク設定が変更されるサブフレーム又はサブフレーム組を確定する。
【０１０６】
オプションとして、前記ユーザ装置が前記上り下りリンクサブフレームの変更情報を受信しており、且つ該上り下りリンクサブフレームの変更情報が、上り下りリンク設定が変更されるサブフレームの位置情報を含まない場合、前記中央処理装置131は、次のように構成されても良く、即ち、上り下りリンク設定が変更されるサブフレームと、前記上り下りリンクサブフレームの変更情報を受信するサブフレームとの間の固定した時間シーケンス関係に基づいて、ネットワーク側の第一上り下りリンクサブフレーム設定のうちの、上り下りリンク設定が変更されるサブフレーム又はサブフレーム組を確定する。
【０１０７】
オプションとして、前記ユーザ装置が前記上り下りリンク可変サブフレームの指示情報を受信している場合、前記中央処理装置131は、次のように構成されても良く、即ち、前記上り下りリンク可変サブフレームがデフォルト上り下りリンク設定であると確定する。そのうち、前記デフォルト上り下りリンク設定は、前記ネットワーク側の第一上り下りリンクサブフレーム設定と一致しており、又は、ともに上りリンクサブフレームであり、又は、ともに下りリンクサブフレームであることである。
【０１０８】
オプションとして、前記ユーザ装置が前記上り下りリンクサブフレームの変更情報及び前記上り下りリンク可変サブフレームの指示情報を受信している場合、前記中央処理装置131は、次のように構成されても良く、即ち、前記上り下りリンク可変サブフレームのうちの、前記上り下りリンクサブフレームの変更情報により指定されているサブフレームの上り下りリンク設定についての変更を確定する。前記上り下りリンク可変サブフレームのうちに、さらに、前記上り下りリンクサブフレームの変更情報により指定されていないサブフレームがあれば、前記中央処理装置131は、次のように構成されても良く、即ち、前記指定されていないサブフレームがデフォルト上り下りリンク設定でああと確定する。そのうち、前記デフォルト上り下りリンク設定は、前記ネットワーク側の第一上り下りリンクサブフレーム設定と一致しており、又は、ともに上りリンクサブフレームであり、又は、ともに下りリンクサブフレームであることである。
【０１０９】
もう１つの実施方式では、該データ送受信装置は、中央処理装置131と別々で構成されても良く、例えば、該データ送受信装置を、中央処理装置131に接続されるチップとして構成し、中央処理装置131の制御により該データ送受信装置の機能を実現しても良い。
【０１１０】
図13に示すように、該ユーザ装置1300は、さらに、通信モジュール133、入力ユニット134、音声処理ユニット135、表示器136、電源137などを含んでも良い。なお、ユーザ装置1300は、必ずしも図13中の全ての部件を含む必要がない。また、ユーザ装置1300は、さらに、図13に示されていない部件を含んでも良く、これについては、従来技術を参照することができる。
【０１１１】
図13に示すように、中央処理装置131は、制御器又は操作コントローラと称される場合があり、マイクロプロセッサ又は他の処理装置及び／又は論理装置を含んでも良く、該中央処理装置131は、入力を受信し、ユーザ装置1300の各部件の操作を制御することができる。
【０１１２】
そのうち、記憶器132は、例えば、バッファ、フレッシュメモリ、HDD、移動可能な媒体、揮発性記憶器、不揮発性記憶器又は他の適切な装置のうちの一つ又は複数であっても良い。予め定義された又は予め構成された情報を記憶することができ、また、さらに情報処理用プログラムを記憶することもできる。中央処理装置131は、記憶器132に記憶の該プログラムを実行することにより、情報の記憶又は処理などを実現することができる。他の部件の機能は、従来技術に類似したので、ここでは、その詳しい説明を省略する。なお、ユーザ装置1300の各部件は、専用ハードウェア、ファームウェア、ソフトウェア又はその組み合わせにより実現されても良いが、これらは、すべて、本発明の範囲に属する。
【０１１３】
本実施例のユーザ装置により、前述のように、システム容量を向上させることができる。
【実施例９】
【０１１４】
本発明の実施例は、さらに、通信システムを提供し、該通信システムは、実施例7に記載の伝送ポイント、例えば、基地局、及び、実施例8に記載のユーザ装置を含む。
【０１１５】
図14は、本発明の実施例の通信システムの構成図である。図14に示すように、該通信システム1400は、第一伝送ポイント1401、第二伝送ポイント1402、及びユーザ装置1403を含む。
【０１１６】
そのうち、第一伝送ポイント1401及び第二伝送ポイント1402は、実施例7に記載の伝送ポイント1200であっても良く、ユーザ装置1403は、実施例8に記載のユーザ装置1300であっても良く、また、その内容は、ここに合併され、ここでは、その詳しい説明を省略する。
【０１１７】
本実施例の通信システムにより、前述のように、システム容量を向上させることができる。
【０１１８】
本発明の実施例は、さらに、コンピュータ可読プログラムを提供し、そのうち、伝送ポイント中で前記プログラムを実行する時に、前記プログラムは、コンピュータに、前記伝送ポイント中で実施例1又は実施例2に記載のサブフレームスケジューリング方法を実行させる。
【０１１９】
本発明の実施例は、さらに、コンピュータ可読プログラムを記憶した記憶媒体を提供し、そのうち、前記コンピュータ可読プログラムは、コンピュータに、伝送ポイント中で実施例1又は実施例2に記載のサブフレームスケジューリング方法を実行させる。
【０１２０】
本発明の実施例は、さらに、コンピュータ可読プログラムを提供し、そのうち、ユーザ装置中で前記プログラムを実行する時に、前記プログラムは、コンピュータに、前記ユーザ装置中で実施例3に記載のデータ送受信方法を実行させる。
【０１２１】
本発明の実施例は、さらに、コンピュータ可読プログラムを記憶した記憶媒体を提供し、そのうち、前記コンピュータ可読プログラムは、コンピュータに、ユーザ装置中で実施例3に記載のデータ送受信方法を実行させる。
【０１２２】
本発明の実施例による上述の装置及び方法は、ハードウェアにより実現されても良く、ハードウェアとソフトウェアとの組み合わせにより実現されても良い。本発明は、このようなコンピュータ可読プログラムに関し、該プログラムは、論理部品により実行される時に、該論理部品に、上述の装置又は構成部品を実現させることができ、又は、該論理部品に、上述の各種方法又はステップを実現させることができる。本発明は、さらに、上述のプログラムを記憶した記憶媒体、例えば、ハードディスク、磁気ディスク、光ディスク、DVD、flashメモリなどにも関する。
【０１２３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
2017529015.tif 000003
【図２】
2017529015.tif 000004
【図３】
2017529015.tif 000005
【図４】
2017529015.tif 000006
【図５】
2017529015.tif 000007
【図６】
2017529015.tif 000008
【図７】
2017529015.tif 000009
【図８】
2017529015.tif 000010
【図９】
2017529015.tif 000011
【図１０】
2017529015.tif 000012
【図１１】
2017529015.tif 000013
【図１２】
2017529015.tif 000014
【図１３】
2017529015.tif 000015
【図１４】
2017529015.tif 000016
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
ネットワーク側に応用される半２重通信システムにおけるサブフレームスケジューリング装置であって、
ユーザ装置に上り下りリンクサブフレームの変更情報及び／又は上り下りリンク可変サブフレームの指示情報を送信し、前記上り下りリンクサブフレームの変更情報により、前記ユーザ装置がネットワーク側の第一上り下りリンクサブフレーム設定のうちの１つのサブフレーム又は一組のサブフレームの上り下りリンク設定を変更するように指示し、及び／又は、前記上り下りリンク可変サブフレームの指示情報により、前記ネットワーク側の第一上り下りリンクサブフレーム設定のうちの、上り下りリンク設定が変更可能なサブフレーム又はサブフレーム組を指示するための送信ユニット；及び
変更後の上り下りリンク設定に基づいて、対応するサブフレームにおいて、前記ユーザ装置をサービングするためのサービングユニットを含む、装置。
【請求項２】
請求項1に記載の装置であって、
前記上り下りリンクサブフレームの変更情報は、上り下りリンク設定が変更されるサブフレームの位置情報を含む、装置。
【請求項３】
請求項1に記載の装置であって、
前記位置情報は、サブフレーム順番号により指示され；又は
前記位置情報は、ビットマップにより指示される、装置。
【請求項４】
請求項1に記載の装置であって、
上り下りリンク設定が変更されるサブフレームと、前記上り下りリンクサブフレームの変更情報を受信するサブフレームとの間には、固定した時間シーケンス関係がある、装置。
【請求項５】
請求項1に記載の装置であって、
前記上り下りリンクサブフレームの変更情報は、上り下りリンク設定が変更されるサブフレームに関連するスケジューリング情報を含む、装置。
【請求項６】
請求項1に記載の装置であって、
前記上り下りリンク可変サブフレームは、サブフレーム順番号により指示され；又は
前記上り下りリンク可変サブフレームは、ビットマップにより指示され；又は
前記上り下りリンク可変サブフレームは、前記ネットワーク側の第一上り下りリンクサブフレーム設定と異なる上り下りリンクサブフレーム設定により指示され；又は
前記上り下りリンク可変サブフレームは、予め定義される又は予め構成されるという方式で指示される、装置。
【請求項７】
ユーザ装置側に応用される半２重通信システムにおけるデータ送受信装置であって、
受信した上り下りリンクサブフレームの変更情報及び／又は上り下りリンク可変サブフレームの指示情報に基づいて、ネットワーク側の第一上り下りリンクサブフレーム設定のうちの、上り下りリンク設定が変更されるサブフレーム又はサブフレーム組を確定するための確定ユニット；及び
上り下りリンク設定が変更されているサブフレーム又はサブフレーム組に基づいて、データを送受信するための処理ユニットを含む、装置。
【請求項８】
請求項7に記載の装置であって、
前記ユーザ装置が、前記上り下りリンクサブフレームの変更情報を受信しており、且つ該上り下りリンクサブフレームの変更情報が、上り下りリンク設定が変更されるサブフレームの位置情報を含んでいる場合、前記確定ユニットは、前記位置情報に基づいて、ネットワーク側の第一上り下りリンクサブフレーム設定のうちの、上り下りリンク設定が変更されるサブフレーム又はサブフレーム組を確定する、装置。
【請求項９】
請求項7に記載の装置であって、
前記ユーザ装置が、前記上り下りリンクサブフレームの変更情報を受信しており、且つ該上り下りリンクサブフレームの変更情報が、上り下りリンク設定が変更されるサブフレームの位置情報を含まない場合、前記確定ユニットは、上り下りリンク設定が変更されるサブフレームと、前記上り下りリンクサブフレームの変更情報を受信するサブフレームとの間の固定した時間シーケンス関係に基づいて、ネットワーク側の第一上り下りリンクサブフレーム設定のうちの、上り下りリンク設定が変更されるサブフレーム又はサブフレーム組を確定する、装置。
【請求項１０】
請求項7に記載の装置であって、
前記ユーザ装置が、前記上り下りリンク可変サブフレームの指示情報を受信している場合、前記確定ユニットは、前記上り下りリンク可変サブフレームがデフォルト上り下りリンク設定であると確定する、装置。
【請求項１１】
請求項10に記載の装置であって、
前記デフォルト上り下りリンク設定は、前記ネットワーク側の第一上り下りリンクサブフレーム設定と一致しており、又は、ともに上りリンクサブフレームであり、又は、ともに下りリンクサブフレームであるということである、装置。
【請求項１２】
請求項7に記載の装置であって、
前記ユーザ装置が、前記上り下りリンクサブフレームの変更情報及び前記上り下りリンク可変サブフレームの指示情報を受信している場合、前記確定ユニットは、前記上り下りリンク可変サブフレームのうちの、前記上り下りリンクサブフレームの変更情報により指定されているサブフレームの上り下りリンク設定についての変更を確定する、装置。
【請求項１３】
請求項12に記載の装置であって、
前記上り下りリンク可変サブフレームのうちにさらに前記上り下りリンクサブフレームの変更情報により指定されていないサブフレームがあれば、前記確定ユニットは、前記指定されていないサブフレームがデフォルト上り下りリンク設定であると確定する、装置。
【請求項１４】
請求項13に記載の装置であって、
前記デフォルト上り下りリンク設定は、前記ネットワーク側の第一上り下りリンクサブフレーム設定と一致しており、又は、ともに上りリンクサブフレームであり、又は、ともに下りリンクサブフレームであるということである、装置。
【国際調査報告】
2017529015.tif 000017
2017529015.tif 000018
2017529015.tif 000019
2017529015.tif 000020